(57)【要約】【課題】例えば二つの面付け錠箱を見栄えが良い状態で、扉の内壁面に容易に取り付けることができると共に、これらの錠箱に対応するように長尺状の室内ハンドルを配設することができること。【解決手段】扉の内壁面に固定される取付けベースは、少なくとも前記内壁面に固定される第１ベース部と該第１ベース部に直交する第２ベース部とを有し、前記第２ベース部には、戸先側に形成された第１切欠状取付け部分を介して該第２ベース部と一側壁の外面とが面一状になるように縦長内部空間を有する長座が固定され、また、前記一側壁には複数の縦長開口と共に該縦長開口の上下端に第２切欠状取付け部分がそれぞれ形成され、さらに、前記縦長内部空間に組み込まれた上下の面付け錠箱は、各フロントが前記一側壁の外面と面一状になるように固定されていることを特徴とする面付け錠箱の取付け構造。【選択図】図１
2011140781.tif 000002
【特許請求の範囲】
【請求項１】
扉の内壁面に固定される取付けベースは、少なくとも前記内壁面に固定される第１ベース部と該第１ベース部に直交する第２ベース部とを有し、前記第２ベース部には、戸先側に形成された第１切欠状取付け部分を介して該第２ベース部と一側壁の外面とが面一状になるように縦長内部空間を有する長座が固定され、また、前記一側壁には複数の縦長開口と共に該縦長開口の上下端に第２切欠状取付け部分がそれぞれ形成され、さらに、前記縦長内部空間に組み込まれた上下の面付け錠箱は、各フロントが前記一側壁の外面と面一状になるように固定されていることを特徴とする面付け錠箱の取付け構造。
【請求項２】
請求項１に於いて、長座は、その横断面の形状が横長の矩形枠或いはコ字形状枠に形成され、複数の取付けベースを介して扉の内壁面に固定されていることを特徴とする面付け錠箱の取付け構造。
【請求項３】
請求項１又は請求項２に於いて、長座の正面壁と対向する扉の内壁面側の背面壁には、取付け小孔が形成され、該取付け小孔が見える前記正面壁の部位には、該取付け小孔よりも大きい開口部が形成されていることを特徴とする面付け錠箱の取付け構造。
【請求項４】
請求項１に於いて、長座の正面壁には、上下の台座がそれぞれ固定され、また、これらの台座には機械的操作装置がそれぞれ組み込まれ、かつ上下の面付け錠箱及び前記機械的操作装置の位置に対応するようにプッシュプル式室内ハンドルが前記上下の台座まで延伸するように配設されていることを特徴とする面付け錠箱の取付け構造。
【請求項５】
扉の内壁面に取付けベースの第１ベース部を固定する取付けベース固定工程Ａと、前記取付けベースの第２ベース部に長座の一側壁の戸先側にそれぞれ形成された第１切欠状取付け部分を嵌め合わせて該第２ベース部に長座を固定する長座仮止め工程Ｂと、前記長座の背面壁の複数固の取付け小孔に該長座の正面壁の開口部を介して固着具をねじ込み、該長座を扉の内壁面に固定する長座完全固定工程Ｃと、前記長座の縦長内部空間内に該長座に形成した上下の縦長開口を介して上下の面付け錠箱をそれぞれ組込み、かつこれらのフロント板が長座の前記一側壁の外面と面一状になるように前記各縦長開口の端部の第２切欠状取付け部分に各面付け錠箱をそれぞれ固定する面付け錠箱固定工程Ｄを備える面付け錠箱の取付け方法。
【発明の詳細な説明】
【技術分野】
【０００１】
本発明は、面付け錠箱の取付け構造及び該面付け錠箱の取付け方法に関する。
【背景技術】
【０００２】
特許文献１には、「ツインロック」とう名称の錠前が記載されている。特許文献１のツインロックとは、防犯性の向上を図るために１つの扉の自由端部に２つの錠前を配設すること意味している。例えば１枚の扉に対して室内側のレバーハンド或いはノブの軸部の軸線上に二つ錠箱を配設し、各錠箱の本施錠片（デッドボルト）は、扉枠側に配設した２以上の係入穴を有する錠受けに対して、前記各錠箱に設けた機械的操作装置（シリンダ錠やサムターン装置）の操作体（合鍵、サムターン摘み）を操作することによって、各錠箱の本施錠片を出没させるものである。
【０００３】
また、いずれか一方の錠箱に設けたラッチ機構を構成するラッチは、扉を貫通する角軸でハンドル軸部が連結された内外のレバーハンド或いはノブの操作力によって錠箱内に後退動する。
【０００４】
ところで、この特許文献１のツインロックは、防犯性の向上を図ることができるという利点を有するものの、２つの錠前は、いわゆる「面付け錠箱」と「掘り込み錠箱」とをそれぞれ操作部材の軸線上に組み合わせる構成であるから、（ａ）各錠箱を扉の正確な位置に取り付けるのが面倒である、（ｂ）同じ種類の錠箱、例えば二つの面付け錠箱を扉に取り付けることができない、（ｃ）仮に、面付け錠箱と掘り込み錠箱を扉の上下方向に所定間隔を有して取り付けた場合には、錠箱の種類が違うので、各錠箱の機械的操作装置に対して長尺状のハンドルを配設することができない。特に、特許文献１のツインロックでは、縦長のプッシュプル式室内ハンドルの基端部を各錠箱の機械的操作装置に対して配設することができない。
【０００５】
一方、特許文献２には、「扉用ハンドル装置」とう名称の錠前が記載されている。この特許文献２の扉用ハンドル装置は、扉の内外の壁面にハンドル台座に相当する上下の案内筒をそれぞれ固定し、これら上下の案内筒に案内される内側ハントル用の筒状連結固定体（１６、１７）と、これらの筒状連結固定体に摺動自在に案内されるように扉を貫通した上下一対の外側用の連結アーム（１４、１５）と、これらの連結アームに垂直状態に固定された縦長のプッシュプル式外ハンドル（１２）と、前記筒状連結固定体（１６、１７）に垂直状態に固定され、かつ、前記外ハンドル（１２）に前記連結アームの先端部の案内手段（Ｌ字形状の溝１４ａと係合ピン２２）を介して連結された縦長のプッシュプル式内ハンドル（１３）を備えている（符号は特許文献２のもの）。
【０００６】
この特許文献２は、特許文献１のツインロックとは相違し、錠箱の機械的操作装置に対して長尺状のハンドルを配設するものであるが、前記錠箱は、扉の自由端部内に組み込む掘り込み型であり、「面付け錠箱」でない。
【０００７】
また、特許文献２の１つの錠箱は、内外のプッシュプル式ハンドルの基端部の一方（例えば上端部）のみに対応するように扉に埋め込まれている。したがって、特許文献１の目的とする防犯性の向上を図ることができない。さらに、内側ハントル用の筒状連結固定体（１６、１７）、内側の縦長台座枠等を扉の内壁面に取り付けるものであることから、外観上の体裁も良くない。
【０００８】
また、特許文献３は、出願人が提案したものであるが、該特許文献３には、「扉の壁面に所定間隔離間して固定された第１・第２台座部材に案内される第１・第２摺動腕を有する中空棒状のハンドル、このハンドルに全体が内装され、対向端部が可動連結ピンで枢支されていると共に、中間部が第１・第２台座部材をそれぞれ構成する支持板１８、１８の各軸受け部２２、２２の挿入先端部にそれぞれ固定軸４３、４３を介して軸支され、かつ、上下の端部がハンドル内の端部支軸４４、４４を介してハンドルの上下部に連結された長尺状の第１・第２同期杆、揺動自在に設けられ、前記第１・第２摺動腕並びに前記第１・第２台座部材のいずれかに軸支されかつハンドルの水平動に連動して錠箱内の作動片を作動させる駆動レバー、第１・第２台座部材内にそれぞれ設けられ、かつ、プッシュ又はプル操作により移動したハンドルを初期位置へと戻す復帰バネとから成る錠の把手の構造」が記載されているものの、該特許文献３に記載されている錠箱も特許文献２と同様に「掘り込み型」である。
【先行技術文献】
【特許文献】
【０００９】
【特許文献１】特開２００３−３４３１３５号公報
【特許文献２】特開平１１−３２４４１８号公報
【特許文献３】特開２００６−２５１６号公報
【発明の概要】
【発明が解決しようとする課題】
【００１０】
本願発明の所期の目的は、上下の面付け錠箱を常に所定の間隔を有した状態で扉の内壁面に固定し、かつ、これらの面付け錠箱や機械的操作装置に対応する台座及び所定長の長尺状室内ハンドルを容易に配設することができることである。第２の目的は、上下の面付け錠箱用いて、例えば特許文献１のツインロックの如く防犯性の向上を図ることができることである。第３の目的は、外観上の美観を考慮し、縦長内部空間を有する長座の正面壁或いは扉の内壁面の正面から見たとき、取付けベース、固着具等が食み出るように見えないことである。
【課題を解決するための手段】
【００１１】
本発明の面付け錠箱の取付け構造は、扉の内壁面に固定される取付けベースは、少なくとも前記内壁面に固定される第１ベース部と該第１ベース部に直交する第２ベース部とを有し、前記第２ベース部には、戸先側に形成された第１切欠状取付け部分を介して該第２ベース部と一側壁の外面とが面一状になるように縦長内部空間を有する長座が固定され、また、前記一側壁には複数の縦長開口と共に該縦長開口の上下端に第２切欠状取付け部分がそれぞれ形成され、さらに、前記縦長内部空間に組み込まれた上下の面付け錠箱は、各フロントが前記一側壁の外面と面一状になるように固定されていることを特徴とする。
【００１２】
また、本発明の面付け錠箱の取付け方法は扉の内壁面に取付けベースの第１ベース部を固定する取付けベース固定工程Ａと、前記取付けベースの第２ベース部に長座の一側壁の戸先側に形成された第１切欠状取付け部分を嵌め合わせて該第２ベース部に長座を固定する長座仮止め工程Ｂと、前記長座の背面壁の複数固の取付け小孔に該長座の正面壁の開口部を介して固着具をねじ込み、該長座を扉の内壁面に固定する長座完全固定工程Ｃと、前記長座の縦長内部空間内に該長座に形成した上下の縦長開口を介して上下の面付け錠箱をそれぞれ組込み、かつこれらのフロント板が長座の前記一側壁の外面と面一状になるように前記各縦長開口の端部の第２切欠状取付け部分に各面付け錠箱をそれぞれ固定する面付け錠箱固定工程Ｄを備えることを特徴とする。  
【発明の効果】
【００１３】
（ａ）物の発明及び方法の発明は、発明が解決しようとする課題を達成することができる。すなわち、取付けベースと、これを基準として該取付けベースに固定され、かつ上下の面付け錠箱を組み込むことができる長座を構成要件とするので、上下の面付け錠箱を常に所定の間隔を有した状態で扉の内壁面に固定し、かつ、これらの面付け錠箱や機械的操作装置に対応する台座及び所定長の長尺状室内ハンドルを容易に垂直状態に配設することができる
（ｂ）請求項２に記載の発明は、上下の取付けベースがシンプルな形態なので、これらの取付けベースを壁面の所望する箇所に容易に固定することがてきると共に、これらの取付けベースを基準として、長座を仮止めすることができる。
（ｃ）請求項３に記載の発明は、正面壁の大きい開口部から背面壁の取付け小孔が見えるので、容易に長座の背面壁を壁面にビス止めすることができる。
（ｄ）請求項４に記載の発明は、レバーハンドルやノブではなく、例えばプッシュプル式室内ハンドルを台座に対して設けることができる。
【図面の簡単な説明】
【００１４】
図１乃至図２０は本発明の最良の実施例を示す各説明図。
【図１】扉の自由端面（戸先）側から見た概略説明図。
【図２】扉の内壁面側から見た概略説明図。
【図３】扉を閉じた状態の平面視からの概略説明図。
【図４】扉の平面視からの概略説明図。
【図５】扉枠と錠受けの説明図。
【図６】図２に於いて、錠受けを含む施錠状態（ツインロック）の概略説明図。
【図７】主要部を構成する部材の分解斜視図（上方の面付け錠箱）。
【図８】要部（長座）の背面視からの斜視図。
【図９】各要部（取付けベース、長座、蓋体）の位置関係を示す斜視図。
【図１０】取付けベースの第１ベース部を扉の内壁面に固着した概略説明図。
【図１１】取付けベースの第２ベース部に長座の一側壁を固定した概略説明図。
【図１２】長座の上端開口と蓋体を示す概略説明図。
【図１３】長座の正面壁の開口から背面壁を見た概略説明図。
【図１４】図１３に於ける概略断面説明図。
【図１５】面付け錠箱を長座の縦長開口に嵌め込む途中の概略説明図。
【図１６】台座の左側面視からの分解説明図。
【図１７】内外の台座の連結手段の説明図。
【図１８】図３に於いて、その内部構成を示す概略説明図。
【図１９】全体の外観を示す斜視図。
【図２０】面付け錠箱の取付け方法の工程図。
【発明を実施するための最良の形態】
【００１５】
以下、図１乃至図２０に示す本発明を実施するための最良の形態（物の発明と方法の発明）により説明する。
【００１６】
（１）発明の実施の環境
図１乃至図３は、発明の実施の環境を示す各概略説明図である。図１は扉１の自由端面（戸先）側から見た概略説明図、図２は扉１の内壁面側から見た概略説明図、そして、図３は扉を閉じた状態の平面視からの概略説明図である。
【００１７】
まず、図１を参照にすると、１は扉、１ａは扉の内壁面、１ｂは扉の外壁面である。したがって、扉１の左側が室外、一方、扉１の右側が室内である。扉１の自由端部の内壁面１ａには、後述する単数又は複数の取付けベース１３を介して長座１５が固定され、該長座１５の正面壁１５ｂの上部と下部に、室内側の台座２と機械的操作装置３が長座の縦長状内部空間１８に配設された面付け錠箱４に対応するように取付けられている。
【００１８】
本実施例では、前記台座２、機械的操作装置３及び面付け錠箱４は、長座１５の上下にそれぞれ設けられている。また、機械的操作装置３は、例えばサムターン摘み３ａを有するサムターン装置で、これら上下のサムターン装置３、３は、上下一対の台座２、２に適宜に組み込まれている。５は縦長のプッシュプル式室内ハンドルで、この室内ハンドル５の上下端部には、サムターン摘み３ａ、３ａがそれぞれ回転自在に取り付けられている。
【００１９】
また、扉１の自由端部の外壁面１ｂには、室外側の台座６と、室外側の機械的操作装置７と、縦長のプッシュプル式室外ハンドル８がそれぞれ取り付けられている。本実施例では、室内側の台座２、機械的操作装置３等の構成部材に対応して、前記台座６は扉１の外壁面１ｂに上下一対固定され、これら上下の台座６、６に機械的操作装置７としてのシリンダ錠が扉１を貫通した状態でそれぞれ取付けられている。上下の機械的操作装置（シリンダ錠）７、７は、合鍵７ａ、７ａによって施・解錠可能である。
【００２０】
室内側の台座２と室外側の台座６は、互いに複数の連結手段９、９を介して一体的に連結されている。望ましくは、室外側の台座６は扉１を貫通する複数本の筒型連結柱９ａを有し、一方、室内側の台座２からねじ込まれる複数のオネジ９ｂによって引き込まれ、扉１を挟んで室内側の台座２と一体的に結合する。
【００２１】
（２）扉枠と錠受け
まず、本発明の特定要件を説明する前に、図３、図５及び図６を参照にして扉枠と、該扉枠に固定された錠受けを説明する。本実施例では、縦長内部空間１８に上下の面付け錠４、４を有する長座１５が単数又は複数（本実施例）の取付けベース１３を介して扉１の内壁面１ａに固定されることから、前記上下の面付け錠４、４の本施錠片（例えばデッドボルトと鎌片）４ａが係入する係合穴１２ａを有する上下の金属製錠受け１２、１２Ａが、扉枠１１の外面に突出するようにそれぞれ固定されている。上下の金属製錠受け１２、１２Ａは、一体成形されていても良いが、本実施例では、上下方向に所定間隔を有して扉枠１１に配設され、例えば下方の金属製錠受け１２Ａは、本施錠片用の係合穴１２ａの他にラッチ４ｂ用の係合穴１２ｂを有している（図６参照）。扉側のラッチ４ｂは１つで十分であることから、上方の金属製錠受け１２は、本施錠片４ａ用の係合穴１２ａのみ有している。
【００２２】
（３）特定要件
次に、本発明の特定要件について順次説明する。なお、ここでは特定要件に関係のない事項の説明は割愛する。前述したように、本発明の面付け錠箱の取付け構造は、扉１の自由端部の内壁面１ａに固定される複数の取付けベース１３に長座１５を介して面付け錠箱４が取付けられ、その後に室内側の台座２と機械的操作装置３が前記面付け錠箱４に対応するようにそれぞれ扉１の内壁面１ａに間接的に取り付けられる。
【００２３】
さて、例えば図７、図９などに示すように、前記取付けベース１３は、少なくとも前記内壁面に第１固着手段１４を介して固定される第１ベース部１３ａと該第１ベース部に直交する第２ベース部１３ｂとを有し、前記第２ベース部１３ｂには、上下端部にそれぞれ形成された第１切欠状取付け部分１７を介して該第２ベース部１３ｂと一側壁１５ａの外面とが面一状になるように縦長内部空間１８を有する長座１５が第２固着具手段１６を介して固定され、また、前記一側壁１５ａには複数の縦長開口１９、１９と共に該縦長開口の上下端に第２切欠状取付け部分２０、２０がそれぞれ形成され、さらに、前記縦長内部空間１８に組み込まれた上下の面付け錠箱４、４は、各フロント４ｃ、４ｃが前記一側壁１５ａの外面と面一状になるように前記第２の切欠状取付け部分２０、２０に第３固着具手段２２、２２を介して固定されている。
【００２４】
しかして、前記取付けベース１３は、例えば、端面Ｌ字形状であり、扉１の自由端部の内壁面１ａに上下方向に所定間隔離間して上下一対固定され、また前記長座１５は、その横断面の形状が横長の矩形枠（長方形）或いはコ字形状枠（本実施例）に形成され、前記上下の取付けベース１３、１３を介して前記扉１の内壁面１ａに固定されている。
【００２５】
また、図８で示すように、長座１５の正面壁１５ｂと対向する扉１の内壁面１ａ側の長板状背面壁１５ｃには、第４固着具２３、２３用の取付け小孔（貫通孔）２４、２４が形成され、該取付け小孔２４が見える前記正面壁の部位１５ｃには、該取付け小孔２４よりも大きい複数個の任意形状の開口部２５、２５を基準として、これらの開口部の上下方向の適宜部位（正面壁１５ｂの上部と下部）には、上下一対の機械的操作装置３、３をそれぞれ組付けるための嵌合孔２６、２６が形成されている。
【００２６】
さらに、前記開口部２５、２５及び嵌合孔２６、２６には、必要に応じて切欠状挿通孔２７がそれぞれ形成されており、これらの切欠状挿通孔２７には、図１の仮想線で示した複数本の筒型連結柱（連結杆）９ａがそれぞれ挿通的に嵌合する。したがって、前記上下の開口部２５、２５は、それぞれ上下の機械的操作装置３の各作動軸用開口として用いられる。
【００２７】
加えて、前記上下の機械的操作装置３、３には、縦長のプッシュプル式室内ハンドル５の基端部がそれぞれ連結され、該室内ハンドル５の上下端部には、前記機械的操作装置３、３のサムターン摘み３ａ、３ａがそれぞれ取り付けられている。
【００２８】
（４）面付け錠箱の取付け方法
最終的に複数個の面付け錠箱は、図１乃至図４で示すように、単数又は複数の取付けベース１３及びボックス状あるいはコ字状の長座１５を介して壁面１ａに取り付けられる。図１では、下方の面付け錠箱４は、カマデッド（カマとデッドボルトのこと）４ａと、ラッチ４ｂを有するが、もちろん、上方の面付け錠箱４の方にカマデッド４ａと、ラッチ４ｂを設けても良い。付言すると、図１を逆様にした態様で実施しても良い。
【００２９】
さて、図２０を参照にして、壁面１ａに対する面付け錠箱の取付け方法を説明する。まず、符号Ａは、扉１の自由端部の内壁面１ａに、例えば、複数の取付けベース１３を固定する取付けベース固定工程である。
【００３０】
この取付けベース固定工程Ａでは、例えば、アングル形状或いは断面Ｌ字形状に形成された取付けベース１３の第１ベース部１３ａを壁面１ａに合わせ、複数個の第１固着手段１４を用いて該第１ベース部１３ａを壁面１ａに固着する。また、上下の取付けベース１３、１３は、上下方向に所定間隔を有して固着される。
【００３１】
次に、符号Ｂは、取付けベース１３の第２ベース部１３ｂに長座１５の一側壁１５ａの上下端部にそれぞれ形成された第１切欠状取付け部分１７、１７を嵌め合わせ、第２固着具手段１６を用いて該第２ベース部１３ｂに長座１５を固定する長座仮止め工程である。
【００３２】
この長座仮止め工程Ｂでは、第２ベース部１３ｂと一側壁１５ａの外面とが面一状になるようにビス止めする。この時、本実施例では、長座１５の上端開口と下端開口にそれぞれ嵌合する平面視長方形状の蓋体３１、３１（図９、図１９参照）が存在するので、これらの蓋体３１、３１の段差状側壁下部に形成したネメジ３２に第２固着具手段１６をねじ込んで、蓋体も一緒に固定する。
【００３３】
なお、前記蓋体３１、３１は、単に嵌合する方式でも良く。蓋体３１を長座１５の上端開口と下端開口にそれぞれ単に嵌合する場合には、容易に外れないように係合突起、弾性係合片等の係合手段を適宜に設ける。
【００３４】
次に、符号Ｃは、長座１５の上下の長板状各背面壁１５ｃの各取付け小孔（貫通孔）２４、２４に第４固着具２３、２３をねじ込んで長座１５を扉１の内壁面１ａに固定する長座完全固定工程である。この長座完全固定工程Ｃでは、長座１５の正面壁１５ｂの幅広開口部２５、２５から各取付け小孔（貫通孔）２４、２４が見えるので、これらの幅広開口部２５、２５から第４固着具２３、２３を入れ、図示しないドライバーを用いて長座１５を壁面１ａにしっかりと固着する。
【００３５】
最後に、符号Ｄは、長座１５の縦長内部空間１８内に該長座１５に形成した上下の縦長開口１９、１９を介して上下の面付け錠箱４、４をそれぞれ組込み、かつ、これらの面付け錠箱４、４の各フロント板４ｃ、４ｃが長座１５の一側壁１５ａの外面と面一状になるように縦長開口１９、１９の端部の第２切欠状取付け部分２０、２０に第３固着具手段２２、２２を介して各面付け錠箱４、４を固定する面付け錠箱固定工程である。
【００３６】
その後に、図１乃至図４で示すように、長座１５の正面壁１５ｂには、室内側の上下の台座２、２が取付けられ、また、各台座２、２に上下の面付け錠箱４、４に対応するように機械的操作装置３、３が取付けられ、さらに、室内側のハンドル５の基端部が前記台座２、２を介して機械的操作装置３、３に連結される。なお、外側の上下の台座７、７は、前述したように連結手段９、９を介して室内側の上下の台座２、２と一体的に結合される。また、例えば室内側の上下の台座２、２は、長座１５の正面壁１５ｂに形成した複数固の開口２５、２６を有する上下の取付け支持板２ａ、２ａと、これらの取付け支持板２ａ、２ａを介して長座１５の正面壁１５ｂに固定される上下の台座本体２ｂ、２ｂとから成るが、それらの具体的構成は本発明の限定要件ではないので、詳細な説明を割愛する。
【実施例】
【００３７】
本発明では、外側の長尺状のハンドル、台座等を限定要件ではないが、例えば前記台座及び扉には、機械的操作装置（シリンダ錠）７、７がそれぞれ設けられているものの、上下の面付け錠箱４、４の一方は、いわゆる空錠（デットボルトを出没させるダルマが存在しないもの）であっても良い。
【００３８】
また、本実施例では、長座１５の戸先側の上下端部にそれぞれ形成された上下一対の第１切欠状取付け部分１７、１７、および、上下一対の取付けベース１３、１３とを介して、長座１５を扉１の内壁面１ａに固定するが、例えば、長座１５の一側壁１５ａの中央部（中央寄りの部位も含む）に単数又は複数の第１切欠状取付け部分１７を形成した場合には、これに対応して、前記取付けベース１３も単数又は複数となる。さらに、長座１５は、縦長のボックス状に形成しても良い。
【産業上の利用可能性】
【００３９】
本発明は、錠前や建具の分野で利用される。
【符号の説明】
【００４０】
１…扉、１ａ…内壁面、２…室内側の台座、２ａ…取付け支持板、２ｂ…台座本体、３…機械的操作装置、３ａ…サムターン摘み、４…面付け錠箱、４ａ…本施錠片、４ｂ…ラッチ、４ｃ…フロント板、５…室内ハンドル、６…室外側の台座、７…室外側の機械的操作装置、７ａ…合鍵、８…室外ハンドル、９…連結手段、１１…扉枠、１２…錠受け、１３…取付けベース、１３ａ…第１ベース部、１３ｂ…第２ベース部、１４…第１固着手段、１５…長座、１５ａ…一側壁、１５ｂ…正面壁、１５ｃ…背面壁、１６…第２固着具手段、１７…第１切欠状取付け部分、１８…縦長内部空間、１９…縦長開口、２０…第２切欠状取付け部分、２２…第３固着具手段、２３…第４固着具、２４…取付け小孔（貫通孔）、２５…開口部、３１…蓋体、３２…メメジ、Ａ…取付けベース固定工程、Ｂ…長座仮止め工程、Ｃ…長座完全固定工程、Ｄ…面付け錠箱固定工程。
【図１】
2011140781.tif 000003
【図２】
2011140781.tif 000004
【図３】
2011140781.tif 000005
【図４】
2011140781.tif 000006
【図５】
2011140781.tif 000007
【図６】
2011140781.tif 000008
【図７】
2011140781.tif 000009
【図８】
2011140781.tif 000010
【図９】
2011140781.tif 000011
【図１０】
2011140781.tif 000012
【図１１】
2011140781.tif 000013
【図１２】
2011140781.tif 000014
【図１３】
2011140781.tif 000015
【図１４】
2011140781.tif 000016
【図１５】
2011140781.tif 000017
【図１６】
2011140781.tif 000018
【図１７】
2011140781.tif 000019
【図１８】
2011140781.tif 000020
【図１９】
2011140781.tif 000021
【図２０】
2011140781.tif 000022